(57)【要約】      （修正有）【課題】旅行や出張で襟付きのシャツの形状を保護することが出来、且つネクタイや付随する小物類、ハンカチをコンパクトに収納できる携行に便利なバインダーケースを提供する。【解決手段】透明性を有する任意の材質を用いて、身頃を収めるケース２に、シャツの襟を納める窪１と、ケースの蓋３を閉じた段階に於て身頃に少し押し圧が加わる様に、身頃を挟み込むバインダー４と、蓋の先端を差し込むポケット５と、蓋を挟み込む小さな突起板６とを設ける。面ファスナーをポケットや突起板の上部に取り付けてもよい。【選択図】図３
0003189491.tif 000002
【実用新案登録請求の範囲】
【請求項１】
本来、殊にワイシャツ等の様に襟の付いたものゝ美しさは、購入時の新品下ろしたての様な清潔さは常に糊の利いた襟元と▲身頃▼とそして袖の部分をも含め、カフスに在る。それ等の形状を保護する為に襟を保護する突起部（窪み）と併せて袖・袖口・▲身頃▼をも保護の出来るケースの形状と機能的な仕組み、一部マジックテープをも備え一体成型を可能にする。
【請求項２】
襟を保護する目的で設けられたケースの窪み（ケースの表から見れば突き出た丘状に見える部分）と、▲身頃▼部分を利用してネクタイ他タイピン・タイ止め・カフスボタン・ハンカチ等をコンパクトに整理して携行を便利にする。
【請求項３】
バインダーケースの表と裏を交互に合せて積み重ね、置き場所を有効活用出来る。業務用としても考慮する。
【考案の詳細な説明】
【技術分野】
【０００１】本考案は、ワイシャツ・オープンシャツ等の様な、襟付きのシャツの、襟や▲身頃▼を形崩れから護ると共に、必需品とするネクタイは無論のことネクタイ止・ピン・カフスボタン・ハンカチ等の小物類まで、コンパクトに収納出来る様に工夫を凝らして一体成型を成し携行を便利にする。尚、業務用としても考慮する。
【背景技術】
【０００２】従来は、ワイシャツ等の襟や▲身頃▼を形崩れから護る様なものが無かった。且つ小物類まで共に収納出来る様なコンパクトに持ち運びの出来る様な専用ケースは無かった。
【考案の概要】
【考案が解決しようとする課題】
【０００３】旅行や出張などで一番、頭を悩ますのがワイシャツやオープンシャツの様な襟付きの類のシャツで、ボストンバッグやキャリーバッグ・スーツケース等の中身は、衣類・小物類と形状、多種多様の物が混入され中々整理が難かしく、その中に襟の付いたワイシャツやオープンシャツの様なものを、且つ必需品とされるネクタイを初めネクタイ止め・ピン・カフスボタン・ハンカチ等の小物類まで一緒に詰め込むのは暴挙であり襟や▲身頃▼を形崩れから護るには不可能に近く至難の技であり難点があった。本考案は、この課題を解消する為に成されたものである。
【課題を解決する為の手段】
【０００４】透明性を有する任意の材質を用いて、▲身頃▼を納めるケース（２）の中にシャツの襟（Ａ）を形崩れから護る為に、襟を納める窪み（１）を設け、▲身頃▼（Ｂ）のずれから生ずる皺を防ぐ為に、▲身頃▼を納めるケース（２）を用いてケースの蓋（３）を閉じた段階に於て▲身頃▼（Ｂ）に少し押し圧が加わる様に、▲身頃▼を挟み込むバインダー（４）の厚さの調整は任意とする。
【０００５】ケースの蓋（３）の先端である両端を其れ其れ、蓋の先端を差し込むポケット（５）に差し込み、更にケースの蓋（３）が安定して一時的に定着されれる様に、蓋を挟み押さえ込む小さな突起板（６）の上からケースの蓋（３）を押さえ込む様にして容易にケースの蓋（３）が納まる様に、蓋を挟み込む小さな突起板（６）と蓋の先端を差し込むポケット（５）の寸法・形状・▲身頃▼（Ｂ）の、ずれを防ぐ為の下方向の押さえ込み加工する角度等も任意とする。亦、ケースの蓋（３）の閉じ方はマジックテープを蓋の先端を差し込むポケット（５）蓋を挟み押さえ込む小さな突起板（６）の上部とケースの蓋（３）が重なり合う位置に取り付けることも可能である。尚、ケースの蓋（３）の折り曲がる付根部分（７）は曲げ加工を施して一体成型を可能にする。
【０００６】襟を納める窪み（１）に納めたワイシャツ等の襟刳（Ｃ）の中にネクタイは無論ハンカチ・ネクタイ止め・ピン・カフスボタン等の小物類も仕舞える様にした。尚、ネクタイ・ハンカチ等は、▲身頃▼（Ｂ）の前後にも挟み込み納めることが出来る様にもする。
【考案の効果】
【０００７】襟を納める窪み（１）の中に、ワイシャツ等の襟を納めることに依って襟を形崩れから護ると共に、襟刳（Ｃ）の中にネクタイを丸める様にしてハンカチも共に畳み込みネクタイ止め・ピン・カフスボタン等も纏めて納めることが可能となり、且つ▲身頃▼（Ｂ）の前後にもネクタイ・ハンカチ等を挟み込むことが出来る。尚、旅行や出張の際に鞄の類いを選ばず、袋やリュックサックの様な物にも無造作に仕舞い込むことが出来る。更に、▲身頃▼を挟み込むバインダ（４）の表と裏を交互に合せて積み重ねれば、置き場所に依ってはスペースの有効活用が可能である。業務用としても便利である。
【考案を実施する為の形態】
【０００８】図面を参照しつゝ詳細に説明すると、図１は本考案の実施例を表す正面図であるが、図３の襟を納める窪み（１）に予め可能な限り中央の広い部分にネクタイを納め、その脇にネクタイピンやカフスボタンを包み込む様にしてハンカチを畳み込むか、若しくはネクタイを納める前にハンカチを薄く敷き延ばすか等の遣り繰りを▲身頃▼（Ｂ）部分をも含み活用して、次に同じところにシャツの襟刳（Ｃ）を挿入することを考慮して検討を加え選択する。
【０００９】アイロンを掛け終えたシャツの襟刳（Ｃ）を襟を納める窪み（１）に納めた後、図３に示す▲身頃▼を挟み込むバインダー（４）の▲身頃▼を収めるケース（２）の中に▲身頃▼（Ｂ）の左右の両方の脇を均等に畳み入れ、食み出した部分は裾まで同様に折り畳み付け次に左右の袖をワイシャツを折り畳む要領で▲身頃▼を収めるケース（２）の中に畳み込み、その時に右の袖口を、後に長袖か半袖か一目で判る様に▲身頃▼を収めるケース（２）の表から見える様にシャツの胸ポケットと反対側に……、但し、左右両方にポケットが在る場合は、その限りではないが、袖口を少し折り曲げておき、後は▲身頃▼を収めるケース（２）から食み出ている▲身頃▼（Ｂ）の下、半分あまりをワイシャツ等を折り畳む要領で▲身頃▼を収めるケース（２）の中に収納する。
【００１０】▲身頃▼を挟み込むバインダー（４）の効果を発揮させる為に設けたケースの蓋（３）の自在に折り曲がる付根部分（７）は、適度の反発力と抵抗力を持たせ曲げ加工が施されてあるので、人為的に蓋の先端を差し込むポケット（５）にケースの蓋（３）の両先端を其れ其れ差し込み更に▲身頃▼を挟み込むバインダー（４）に▲身頃▼（Ｂ）の総てに適度な押し圧が加わる様に、６個の蓋を挟み押さえ込む小さな突起板（６）の其れ其れの上部から指で押し込み▲身頃▼（Ｂ）の安定を計る。尚、蓋を挟み押さえ込む小さな突起板（６）の数や大きさ・形状・構造等は任意とする。
【図面の簡単な説明】
【００１１】
【図１】バインダーケースに窪みを設け、その囲いの中にワイシャツ等の襟が保護され、▲身頃▼の部分が折り畳まれて収納された使用状況を示した正面図である。
【図２】ワイシャツ等がバインダーケースの中に収納された状態を示した側面図である。
【図３】ワイシャツ等の襟を保護する窪みと、▲身頃▼を挟み込み閉じ込める為の蓋と、その閉じ込めた蓋を一時的な安定を計る為に備えた蓋を挟み押さえ込む小さな突起板等を示した斜視図である。
【符号の説明】
【００１２】Ａ  シャツの襟
Ｂ  ▲身頃▼
Ｃ  襟刳
１  襟を納める窪み
２  ▲身頃▼を収めるケース
３  ケースの蓋
４  ▲身頃▼を挟み込むバインダー
５  蓋の先端をさし込むポケット
６  蓋を挟み押さえ込む小さな突起板
７  自在に折り曲がる付根部分
【図１】
0003189491.tif 000003
【図２】
0003189491.tif 000004
【図３】
0003189491.tif 000005
【手続補正書】
【提出日】平成25年10月1日(2013.10.1)
【手続補正１】
【補正対象書類名】実用新案登録請求の範囲
【補正対象項目名】全文
【補正方法】変更
【補正の内容】
【実用新案登録請求の範囲】
【請求項１】
本来、殊にワイシャツ等の様に襟の付いたものゝ美しさは、購入時の新品下ろしたての様な清潔さは常に糊の利いた襟元と身頃とそして袖の部分をも含め、カフスに在る。それ等の形状を保護する為に襟を保護する突起部（窪み）と併せて袖・袖口・身頃をも保護の出来るケースの形状と機能的な仕組み、一部面ファスナーをも備え一体成型を可能にするシャツの襟を納める窪みを設けたことを特徴とするバインダーケース。
【請求項２】
襟を保護する目的で設けられたケースの窪みと、身頃部分を利用してネクタイ他タイピン・タイ止め・カフスボタン・ハンカチ等をコンパクトに整理して携行を便利にするシャツの襟を納める窪みを設けたことを特徴とするバインダーケース。
【手続補正２】
【補正対象書類名】明細書
【補正対象項目名】０００５
【補正方法】変更
【補正の内容】
【０００５】ケースの蓋（３）の先端である両端を其れ其れ、蓋の先端を差し込むポケット（５）に差し込み、更にケースの蓋（３）が安定して一時的に定着されれる様に、蓋を挟み押さえ込む小さな突起板（６）の上からケースの蓋（３）を押さえ込む様にして容易にケースの蓋（３）が納まる様に、蓋を挟み込む小さな突起板（６）と蓋の先端を差し込むポケット（５）の寸法・形状・身頃（Ｂ）の、ずれを防ぐ為の下方向に押さえ込み加工する角度等も任意とする。亦、ケースの蓋（３）の閉じ方は面ファスナーを蓋の先端を差し込むポケット（５）蓋を挟み押さえ込む小さな突起板（６）の上部とケースの蓋（３）が重なり合う位置に取り付けることも可能である。尚、ケースの蓋（３）の折り曲がる付根部分（７）は曲げ加工を施して一体成型を可能にする。
【手続補正書】
【提出日】平成25年12月26日(2013.12.26)
【手続補正１】
【補正対象書類名】実用新案登録請求の範囲
【補正対象項目名】全文
【補正方法】変更
【補正の内容】
【実用新案登録請求の範囲】
【請求項１】
ワイシャツ等の様に襟や袖そして袖口・身頃の形状を保護する為にケースの表から見れば突き出た丘状に見える窪み、そして裏には、それらを挟み固定させる為に裏蓋を備えたワイシャツ等の襟や身頃の型崩れを保護するバインダーケース。
【請求項２】
形崩れを保護する為のバインダーケースの裏蓋に蓋と蓋の先端を差し込むポケットと蓋を挟み押さえ込む小さな突起板を備えて、そのポケットや突起板の上部に面ファスナーを取り付けたワイシャツ等の襟や身頃の形崩れを保護するバインダーケース。